(57)【要約】【課題】ＤＶＤ用光ディスクの種別を短時間で精度良く識別させる。【解決手段】ＤＶＤレーザ２１でフォーカスＯＮして得られる再生信号は、反射率測定部を介して再生信号のＤＣレベルの大きさで反射率を測定する。上側しきい値Ｔｈ１より上であれば高反射率未記録ＤＶＤ光ディスクと識別する。上側しきい値Ｔｈ１より下の場合、Ｔｈ１より低いしきい値Ｔｈ２より上か下かを判定し、Ｔｈ２より下であれば、低反射率記録済ＤＶＤ光ディスクと識別する。Ｔｈ１より低い反射率と測定され、且つＴｈ２より高い反射率と測定され、Ｔｈ１，Ｔｈ２との中間ゾーンＴｈＭに反射率がある場合は、さらに記録／未記録判定部が再生信号の内容が記録されたものであるか未記録のものであるかを判定する。記録済みであれば高反射率記録済ＤＶＤ光ディスク、未記録であれば低反射率未記録ＤＶＤ光ディスクであるとそれぞれ認識する。【選択図】      図２
2004171614.tif 000002
【特許請求の範囲】
【請求項１】
光ディスクドライブに装着された光ディスクの種別を識別する光ディスク識別方法において、
前記光ディスクが第１の所定レベルより高い反射率を有するか否かから高反射率ディスクであるかどうかを識別する第１のステップと、
前記光ディスクが前記第１の所定レベルより低い第２の所定レベルより低反射率であるかどうかを識別する第２のステッブと、
前記第１の所定レベルと前記第２の所定レベルの中間レベルにあり、かつ前記光ディスクが記録済みか否かにより前記光ディスクが高反射率のものであるか低反射率のものであるかを識別する第３のステップとからなることを特徴とする光ディスク識別方法。
【請求項２】
反射層および該反射層上に形成された透明基板を有する識別対象としての光ディスクと、
前記光ディスクに光ビームを集光する光軸を有する集光手段と、
光軸に沿って前記集光手段を移動させる移動手段と、
前記光ディスクが第１の所定レベルより高い反射率を有するか否かから高反射率ディスクであるかどうかを識別する第１の識別手段と、
前記光ディスクが前記第１の所定レベルより低い第２の所定レベルより低反射率であるかどうかを識別する第２の識別手段と、
前記第１の所定レベルと前記第２の所定レベルの中間レベルにあり、前記光ディスクが記録済みか否かにより前記光ディスクが高反射率のものであるか低反射率のものであるかを識別する第３の識別手段とを具備することを特徴とする光ディスクドライブ装置。
【請求項３】
前記第１の識別手段は、レーザを用いてフォーカスＯＮをさせ、装着されている光ディスクからピックアップに返ってくる反射光を４分割したＡ〜Ｄの信号を加算して得られる再生信号のＤＣレベルの大きさに基づき予め設定されたレベルを比較することにより識別するものであることを特徴とする請求項２記載の光ディスクドライブ装置。
【発明の詳細な説明】
【０００１】
【発明の属する技術分野】
この発明は、装着された光ディスクの種類の識別を行う光ディスク識別方法および光ディスクドライブ装置に関する。
【０００２】
【従来の技術】
従来の光ディスクの識別は、反射光量のしきい値を、高反射率の光ディスクからの測定値と低反射率の光ディスクからの測定値に基づいて算出し、そのしきい値に更新して行くことによって装着された光ディスクがどの種類かを判別している。（例えば、特許文献１）
【０００３】
【特許文献１】
特開２００１−３０７４１６号公報（第７〜９頁、図６，７，１２）
【０００４】
【発明が解決しようとする課題】
上記した特許文献１の技術は、ＣＤ（Ｃｏｍｐａｃｔ  Ｄｉｓｋ）用光ディスクのスタンプディスクやＣＤ−Ｒ（Ｃｏｍｐａｃｔ  Ｄｉｓｋ  Ｒｅｃｏｒｄａｂｌｅ）のように高い反射率のものと、ＣＤ−ＲＷ（Ｃｏｍｐａｃｔ  Ｄｉｓｋ  ＲｅＷｒｉｔａｂｌｅ）のように低い反射率のものを識別するものであり、光ディスクがＣＤ−Ｒ／ＲＷの場合、未記録と記録済みとで反射率が変化するが、相対的な高反射／低反射に変わりはなく、スタンプ／ＣＤ−ＲとＣＤ−ＲＷのディスク識別は可能であった。
【０００５】
しかしながら、記録系光ディスクでは、ＤＶＤ用の光ディスクの記録済みの高反射率ディスク（ＤＶＤ−Ｒ等）と未記録の低反射率ディスク（ＤＶＤ−ＲＷ等）とで、ＤＶＤ光ディスクの反射率が接近してしまうため、特許文献１での反射率による識別は困難である。反射率の判定を誤ると、一旦ディスク上のデータを再生してからでないと、ドライブ装置が判定の誤りを認識できないため、正しいディスクの動作モードで復帰するまでに時間を大幅に浪費してスタート時間が増大する等の問題があった。
【０００６】
この発明の目的は、短時間で精度良く識別させることを可能とする、光ディスク識別方法および光ディスクドライブ装置を提供することにある。
【０００７】
【課題を解決するための手段】
上記した課題を解決するために、この発明の光ディスク識別方法は、光ディスクドライブに装着された光ディスクの種別を識別する方法にあって、前記光ディスクが第１の所定レベルより高反射率ディスクであるかどうかを識別する第１のステップと、前記光ディスクが前記第１の所定レベルより低い第２の所定レベルより低反射率であるかどうかを識別する第２のステッブと、前記第１の所定レベルと前記第２の所定レベルの中間レベルにあり、かつ前記光ディスクが記録済みか否かにより高反射率であるか低反射率であるかを識別する第３のステップとからなることを特徴とする。
【０００８】
この発明の光ディスクドライブ装置は、反射層および該反射層上に形成された透明基板を有する識別対象としての光ディスクと、前記光ディスクに光ビームを集光する光軸を有する集光手段と、光軸に沿って前記集光手段を移動させる移動手段と、前記光ディスクが第１の所定レベルより高反射率ディスクであるかどうかを識別する第１の識別手段と、前記光ディスクが前記第１の所定レベルより低い第２の所定レベルより低反射率であるかどうかを識別する第２の識別手段と、前記第１の所定レベルと前記第２の所定レベルの中間レベルにあり、かつ記光ディスクが記録済みか否かにより高反射率であるか低反射率であるかを識別する第３の識別手段とを具備することを特徴とする。
【０００９】
【発明の実施の形態】
以下、この発明の実施の形態について、図面を参照しながら詳細に説明する。
図１は、この発明の一実施の形態について説明するための光学系並びにその周辺回路構成図である。
図１において、光ディスク１１は、簡略化して示され、ＤＶＤ用の光ディスク１１の反射層でもある記録面１２ａおよびＣＤ用の光ディスク１１の反射層でもある記録面１２ｂが同時に描かれている。いずれの光ディスク１１も透明基板１３を備えている。
【００１０】
ＤＶＤ用の光ディスク１１とＣＤ用の光ディスク１１のそれぞれの透明基板１３の厚さは異なっている。従って、ＤＶＤ用およびＣＤ用の光ディスク１１がそれぞれ装着された際には、その記録面１２ａ、１２ｂが配置されることとなる。すなわち、ＤＶＤ用の記録面１２ａは、ＣＤ用の記録面１２ｂよりもより対物レンズ１４に近い位置に配置される。
【００１１】
対物レンズ１４は、ＤＶＤおよびＣＤにも利用可能な単一のレンズに設計され、そのためにレンズ面が複合レンズ曲面に形成されても良い。対物レンズ１４がフォーカス位置に配置された際には、ＤＶＤ用のレーザビーム１５ａがＤＶＤ用の記録面１２ａにフォーカスされ、ＣＤ用レーザビーム１５ｂがＣＤ用の記録面１２ｂにフォーカスされる。この対物レンズ１４は、その光軸に沿って移動可能にフォーカス用コイル１６によってサスペンドされている。この対物レンズ１４の光軸方向の移動を制限するストッパ１７ａ、１７ｂが光ディスク１１側および光源側に設けられている。このストッパ１７ａ、１７ｂによって対物レンズ１４が光ディスク１１に最も近づく近接位置および光ディスク１１から最も離れたリモート位置が定められ、この間で対物レンズ１４が移動される。対物レンズ１４は、フォーカス用コイル１６のみならず、トラッキング用コイル１８によっても駆動可能に支持され、フォーカス用コイル１６およびトラッキング用コイル１８は、対物レンズ駆動回路１９，２０によってそれぞれ駆動され、対物レンズ１４は、フォーカス方向およびトラッキング方向に移動され、フォーカス状態およびトラッキング状態に維持される。
【００１２】
図１に示す光学系では、ＤＶＤ用のレーザビーム１５ａ、例えば６５０ｎｍの波長を有するレーザビームを発生するＤＶＤ用半導体レーザ２１およびＣＤ用レーザビーム１５ｂ、例えば７８０ｎｍの波長を有するレーザビームを発生するＣＤ用半導体レーザ２４が設けられ、このＤＶＤ用およびＣＤ用半導体レーザ２１、２４は、光ディスク１１の種別に応じて選択的にレーザ駆動回路２３によって駆動される。すなわち、光ディスク１１の種別がＤＶＤであることが、識別されると、システムＣＰＵ（中央演算処理部）２２からの種別信号によってレーザ駆動回路２３がＤＶＤ用半導体レーザ２１を駆動する条件に切り換えられてＤＶＤ用半導体レーザ２１が駆動されてＤＶＤ用のレーザビーム１５ａが半導体レーザ２１から発生される。また、光ディスク１１の種別がＣＤであることが、識別されると、システムＣＰＵ２２からの種別信号によって、レーザ駆動回路２３がＣＤ用半導体レーザ２４を駆動する条件に切り換えられ、ＣＤ用半導体レーザ２４が駆動されてＣＤ用のレーザビーム１５ｂがこの半導体レーザ２１から発生される。
【００１３】
ＤＶＤ用のレーザビーム１５ａは、コリメータレンズ２５を介してハーフプリズム２６に入射され、このハーフプリズム２６を通過して対物レンズ１４に向けられる。同様にＣＤ用のレーザビーム１５ｂは、コリメータレンズ２７を介してハーフプリズム２６に入射され、このハーフプリズム２６で反射されて対物レンズ１４に向けられる。両レーザビーム１５ａ、１５ｂは、ダイクロイックプリズム２８および１／４波長板２９を通過して対物レンズ１４に入射され、対物レンズ１４によってそれぞれ対応する反射面１２ａ、１２ｂに収束される。
【００１４】
反射面１２ａ、１２ｂから反射されたレーザビーム１５ａ、１５ｂは、再び１／４波長板２９を通過することによって、その偏光面が回転されてダイクロイックプリズム２８によって反射される。反射されたレーザビーム１５ａ、１５ｂは、収束レンズ３０で集光されてハーフプリズム３１に入射される。ＤＶＤ用のレーザビーム１５ａは、ハーフプリズム３１を通過してＤＶＤ用の検出器３２で検出され、ＣＤ用のレーザビーム１５ｂは、ハーフプリズム３１で反射されてＣＤ用の検出器３３で検出される。このＤＶＤ用およびＣＤ用の検出器３２、３３は、選択的に駆動される半導体レーザ２１、２４に対応して有効とされ、このＤＶＤ用およびＣＤ用の検出器３２、３３から取り出されるいずれか一方の検出信号に基づいて、加算器３４から加算信号が、フォーカスエラー信号発生回路３５からフォーカスエラー（ＦＥ）信号が、トラッキングエラー信号発生回路３６からトラッキングエラー（ＴＥ）信号がそれぞれ発生される。これら加算信号、フォーカスエラー信号およびトラッキングエラー信号は、Ａ／Ｄ変換器３７を介してシステムＣＰＵ２２に供給され、フォーカスサーボ、トラッキングサーボおよび再生信号の処理が実行される。
【００１５】
次に、ＤＶＤ光ディスクの種別の識別について、図２のフローチャートと各種ＤＶＤディスクの反射率分布を模式的に示した図３とともに説明する。
ＤＶＤレーザ２１を用いてフォーカスＯＮをさせると、装着されている光ディスク１１からピックアップに返ってくる反射光を４分割してＡ〜Ｄの信号を得る。これらＡ〜Ｄの信号を加算して得られる再生信号のＤＣレベルは、光ディスク１１により違いが見られる。再生信号は反射率測定部４１を介して、ここで再生信号のＤＣレベルの大きさに基づき、予め設定されたしきい値との比較により反射率を測定する（Ｓ１）。その測定結果に基づいてシステムＣＰＵ２２では、図３に示す上側しきい値Ｔｈ１より上であれば、高反射率未記録ＤＶＤ光ディスクＡと識別し、高反射率ディスクのうちどの種別のディスクであるかの判定を行い終了する（Ｓ２，Ｓ３）。
【００１６】
次に、ステップＳ２において、反射率測定部４１での反射率を測定した結果が上側しきい値Ｔｈ１より下の場合、さらに上側しきい値Ｔｈ１より低い値の図３に示す下側しきい値Ｔｈ２より上か下かを判定する（Ｓ４）。下側しきい値Ｔｈ２より下であれば、低反射率記録済ＤＶＤ光ディスクＤと識別し、低反射率ディスクのうちどの種別のディスクであるかの判定を行い終了する（Ｓ４，Ｓ５）。
【００１７】
ステッブＳ２において上側しきい値Ｔｈ１より低い反射率と測定され、且つステップＳ４において下側しきい値Ｔｈ２より高い反射率と測定され、上下しきい値Ｔｈ１，Ｔｈ２との中間ゾーンＴｈＭに反射率がある場合は、さらに記録／未記録判定部４２が再生信号の内容が記録されたものであるか未記録のものであるかを判定する（Ｓ６）。この判定結果において、記録済みであれば高反射率記録済ＤＶＤ光ディスクＢであると認識し、未記録であれば低反射率未記録ＤＶＤ光ディスクＣであると認識し、それぞれ高／低反射率ディスクのうちどの種別のディスクであるかの判定を行い終了する。
【００１８】
ＣＤ光ディスクの種別の識別については、ＣＤレーザ２４を用いてフォーカスＯＮをさせると、装着されている光ディスク１１からピックアップに返ってくる反射光を４分割してＡ〜Ｄの信号を得る。これらＡ〜Ｄの信号を加算して得られる再生信号のＤＣレベルは、光ディスク１１により違いが見られる。
【００１９】
再生信号は、反射率測定部４１を介して、ここで再生信号のＤＣレベルの大きさを測定することで反射率を測定し、その結果、反射率の高いものは、スタンプディスクやＣＤ−Ｒと識別し、低いものはＣＤ−ＲＷと識別する。
【００２０】
この実施の形態によれば、反射率が高いしきい値と低いしきい値との間に中間ゾーンを設置し、この中間ゾーンおける記録データの有無により、曖昧であった高反射率の記録済みＤＶＤ光ディスクと低反射率の未記録ＤＶＤ光ディスクの判別が可能となることから、識別時間の短縮化を図ることが可能となる。
【００２１】
【発明の効果】
以上説明したように、この発明の光ディスク識別方法によれば、光ディスクの種別の識別精度ならびに識別時間の短縮化を図ることが可能となる。
この発明の光ディスクドライブ装置によれば、装着された光ディスクの種別の識別精度向上とイニシャル時間の短縮化を図れることが可能となる。
【図面の簡単な説明】
【図１】この発明の一実施の形態について説明するためのシステム構成図。
【図２】この発明の識別アルゴリズムについて説明するためのフローチャート。
【図３】ＤＶＤディスクの反射率分布を概略的に表した模式図。
【符号の説明】
１１…光ディスク
１２ａ，１２ｂ…記録面（反射層）
１３…透明基板（反射面）
１４…対物レンズ
１５ａ…ＤＶＤ用のレーザビーム
１６…フォーカス用コイル
１８…トラッキング用コイル
１９，２０…対物レンズ駆動回路
２１…ＤＶＤ用半導体レーザ
２２…システムＣＰＵ
２３…レーザ駆動回路
３２，３３…検波器
３４…加算器
３５…フォーカスエラー信号発生回路
３６…トラッキングエラー信号発生回路
４１…反射率測定部
４２…記録／未記録判定部
【図１】
2004171614.tif 000003
【図２】
2004171614.tif 000004
【図３】
2004171614.tif 000005